(57)【要約】【課題】大人が使用する第２使用状態と子供が使用する第１使用状態とを容易に切り換えることができる椅子を提供すること。【解決手段】床に固定されたベース４に対して前後方向に揺動可能に枢支された第１及び第２脚支柱５，６を有し、第１脚支柱５の上端には、第１座部７が設けられるとともに、第２脚支柱６の上端には、第２座部８が前後方向に揺動可能に枢支され、第２座部８は、その前端が第１座部７に枢支されるとともに、その後端から背凭れ９が延設されており、両脚支柱５，６が揺動されることによって、第１座部７と第２座部８とが、互いの上面７ａ，８ａが面一をなすように並設される第１使用状態と、第１座部７が、その前部が降下する第２使用状態と、に切り換え可能となっている。【選択図】図１
2009100819.tif 000002
【特許請求の範囲】
【請求項１】
床に固定されたベースに対して前後方向に揺動可能に枢支された第１及び第２脚支柱を有し、前記第１脚支柱の上端には、第１座部が設けられるとともに、前記第２脚支柱の上端には、第２座部が前後方向に揺動可能に枢支され、該第２座部は、その前端が前記第１座部に枢支されるとともに、その後端から背凭れが延設されており、前記両脚支柱が揺動されることによって、前記第１座部と前記第２座部とが、互いの上面が面一をなすように並設される第１使用状態と、前記第１座部が、その前部が降下する第２使用状態と、に切り換え可能となっていることを特徴とする椅子。
【請求項２】
前記第２使用状態において、前記第１座部が略垂直状態をなすことを特徴とする請求項１に記載の椅子。
【請求項３】
前記第２使用状態における前記第２座部で構成される座面の高さが、前記第１使用状態における前記第１座部と前記第２座部とで構成される座面の高さよりも低くなることを特徴とする請求項１または２に記載の椅子。
【請求項４】
前記第２使用状態における前記第２座部で構成される座面の高さが、前記第１使用状態における前記第１座部と前記第２座部とで構成される座面の高さよりも高くなることを特徴とする請求項１または２に記載の椅子。
【請求項５】
前記第１使用状態における前記第１座部と前記第２座部とで構成される座面の高さと、前記第２使用状態における前記第２座部で構成される座面の高さと、が同じ高さになることを特徴とする請求項１または２に記載の椅子。
【請求項６】
前記第１脚支柱には、前記第２脚支柱を収納する収納部が設けられていることを特徴とする請求項１ないし５のいずれかに記載の椅子。
【発明の詳細な説明】
【技術分野】
【０００１】
本発明は、主に劇場や映画館等に設置される椅子に係り、特に簡単な操作により座面の奥行きを換えることで子供も大人も使用できる椅子に関する。
【背景技術】
【０００２】
従来、映画館等に設置される観客用の椅子としては、大人と子供が兼用して使えるようにするために、兼用座体（第１座部）と後部座（第２座部）とにより広域座面を形成し、大人が着座可能な通常の椅子として使用するとともに、兼用座体をアームや蹴上板によるリンク機構に支持させることで、兼用座体を背凭れに近づけるとともに、規定高さ位置にして子供が着座可能な椅子として使用するようにしている（例えば、特許文献１参照）。
【０００３】
【特許文献１】実公平３−２４１０９号公報（第３〜４頁、第５〜７図）
【発明の開示】
【発明が解決しようとする課題】
【０００４】
しかしながら、特許文献１に記載の大人・子供兼用椅子にあっては、大人が使用可能な状態から子供が使用可能な状態に切り換える際に、兼用座体（第１座部）と後部座（第２座部）とを、一旦原状位置に起立させた後、アームや蹴上板によるリンク機構による支持により、子供が着座可能な位置に兼用座体を移動しなければならず、その切り換え作業が煩雑になり、特に子供が容易に椅子の切り換え操作を行えないという問題がある。
【０００５】
本発明は、このような問題点に着目してなされたもので、大人が使用する第２使用状態と子供が使用する第１使用状態とを容易に切り換えることができる椅子を提供することを目的とする。
【課題を解決するための手段】
【０００６】
前記課題を解決するために、本発明の請求項１に記載の椅子は、
床に固定されたベースに対して前後方向に揺動可能に枢支された第１及び第２脚支柱を有し、前記第１脚支柱の上端には、第１座部が設けられるとともに、前記第２脚支柱の上端には、第２座部が前後方向に揺動可能に枢支され、該第２座部は、その前端が前記第１座部に枢支されるとともに、その後端から背凭れが延設されており、前記両脚支柱が揺動されることによって、前記第１座部と前記第２座部とが、互いの上面が面一をなすように並設される第１使用状態と、前記第１座部が、その前部が降下する第２使用状態と、に切り換え可能となっていることを特徴としている。
この特徴によれば、第１使用状態では、第１座部と第２座部の上面を合わせた広さの座面が構成され、座面の前端から背凭れまでの幅を広くして大人用の椅子として使用することができ、第２使用状態では、第２座部のみで座面が構成されるため、座面の前端から背凭れまでの幅を狭くして子供用の椅子として使用することができるようになり、かつ両脚支柱を揺動させる操作により、第１使用状態と第２使用状態とを容易に切り換えることができるので、子供であっても容易に切り換え操作を行うことができる。
【０００７】
本発明の請求項２に記載の椅子は、請求項１に記載の椅子であって、
前記第２使用状態において、前記第１座部が略垂直状態をなすことを特徴としている。
この特徴によれば、第２使用状態において、着座に使用しない第１座部が垂直状態に傾斜されることで、使用者の足元で第１座部が邪魔にならずに済むようになる。
【０００８】
本発明の請求項３に記載の椅子は、請求項１または２に記載の椅子であって、
前記第２使用状態における前記第２座部で構成される座面の高さが、前記第１使用状態における前記第１座部と前記第２座部とで構成される座面の高さよりも低くなることを特徴としている。
この特徴によれば、主に子供が使用する第２使用状態において、座面の高さが低くなり、大人よりも身長が低い子供が椅子に座り易くなる。
【０００９】
本発明の請求項４に記載の椅子は、請求項１または２に記載の椅子であって、
前記第２使用状態における前記第２座部で構成される座面の高さが、前記第１使用状態における前記第１座部と前記第２座部とで構成される座面の高さよりも高くなることを特徴としている。
この特徴によれば、主に子供が使用する第２使用状態において、座面の高さが高くなり、子供が椅子に座った際の視線を高くすることができ、大人よりも身長が低い子供が前方を見やすくなる。
【００１０】
本発明の請求項５に記載の椅子は、請求項１または２に記載の椅子であって、
前記第１使用状態における前記第１座部と前記第２座部とで構成される座面の高さと、前記第２使用状態における前記第２座部で構成される座面の高さと、が同じ高さになることを特徴としている。
この特徴によれば、座面の高さを変化させずに、座面の前端から背凭れまでの幅のみを変化させるため、第１使用状態の椅子と第２使用状態の椅子とを並設して使用しても、それぞれの使用状態の椅子の座面の高さが一定になり、使用状態が異なる椅子に座ることで生じる大人と子供の相対的な視線の高さ位置が変化しなくて済む。
【００１１】
本発明の請求項６に記載の椅子は、請求項１ないし５のいずれかに記載の椅子であって、
前記第１脚支柱には、前記第２脚支柱を収納する収納部が設けられていることを特徴としている。
この特徴によれば、使用者の足元には、第１脚支柱のみが配置されるため第２脚支柱が邪魔にならずに済むようになり、かつ第２脚支柱が第１脚支柱の収納部内に収納されて隠蔽されるため、椅子の見栄えがよくなる。
【発明を実施するための最良の形態】
【００１２】
本発明に係る椅子を実施するための最良の形態を実施例に基づいて以下に説明する。
【実施例１】
【００１３】
本発明の実施例を図面に基づいて説明すると、先ず図１は、実施例１における椅子を示す側面図であり、図２は、第２使用状態の椅子を示す斜視図であり、図３は、第１使用状態の椅子を示す斜視図であり、図４は、第２使用状態の椅子を示す縦断側面図であり、図５は、第１使用状態の椅子を示す縦断側面図である。以下、図１、図４、図５の紙面左方側を椅子の正面側（前方側）として説明する。
【００１４】
図１の符号１は、映画館やコンサートホール等に設置される本発明の適用された椅子１である。本実施例では、複数の椅子１が前後方向の所定間隔毎に床に固定された状態で設けられている。尚、特に図示はしないが、これらの椅子１は、左右方向に所定間隔毎に複数設けられている。
【００１５】
図１に示すように、本実施例の椅子１は、床面に固定されたベース４を有しており、該ベース４には、第１脚支柱５が前後方向に揺動可能に枢軸１０ｃによって枢支されている（図２参照）。この第１脚支柱５の上端部には、本実施例における第１座部としての座前部７が一体的に形成されている。
【００１６】
座前部７の後方には、背凭れ９を有する本実施例における第２座部としての座後部８が配置されている。また、座後部８の前端部と、座前部７の後端部とは、蝶番１５によって互いに接続されている。尚、背凭れ９は、座後部８の後端部から上方に向かって一体的に延設されている。
【００１７】
また、ベース４には、第２脚支柱６の下端部が枢軸１０ａによって前後方向に揺動可能に枢支されている。この第２脚支柱６の上端部は、座後部８の下面側に設けられたブラケット１１に枢軸１０ｂによって枢支されており、座後部８が前後方向に揺動可能となっている。
【００１８】
尚、本実施例では、これら第１脚支柱５及び第２脚支柱６が前後に揺動されることで、座前部７及び座後部８の配置を変更して、椅子１を子供Ｃが使用（着座）する第２使用状態と、大人である使用者Ｕが使用（着座）する第１使用状態とに切り換えることができるようになっている。
【００１９】
図１に示すように、この椅子１の座前部７は、第１脚支柱５が前方に揺動されることで、座前部７の上面７ａが正面側に向くように傾斜するようになっている。具体的には、図１の紙面左方側の椅子１に示すように、椅子１が子供Ｃに使用されるときには、第１脚支柱５及び第２脚支柱６が正面側に揺動されて前方に傾くようになっているとともに、座前部７の前端部が下降するように傾斜されており、座前部７が略垂直状態になって、子供Ｃが略水平に配置された座後部８に着座できるようになる。この状態が、子供が椅子１を使用する第２使用状態となっており、第２使用状態では、座後部８の上面８ａにより狭い座面１６が構成される。
【００２０】
尚、第１脚支柱５が前方に揺動されることで、座後部８は子供Ｃが着座しやすい高さｈ１に配置される。更に尚、第２使用状態では、座後部８の前端から背凭れ９までの幅（距離）が狭く（短く）なり、子供Ｃが着座し易いようになる。
【００２１】
また、図１の紙面右方側の椅子１に示すように、子供Ｃが使用する第２使用状態から大人の使用者Ｕが椅子１の背凭れ９を掴んで、椅子１を後方に揺動させると、第１脚支柱５及び第２脚支柱６が後方に揺動され、該揺動に伴い座前部７と座後部８が後方の揺動限界位置で略水平状態になる。この状態が、大人が椅子１を使用する第１使用状態となっており、第１使用状態では、座前部７と座後部８の上面７ａ，８ａが面一をなすことで広い座面１６が構成される。
【００２２】
尚、このときの座前部７及び座後部８は大人である使用者Ｕが着座しやすい高さｈ２に配置される。更に尚、第１使用状態では、座前部７の前端から背凭れ９までの幅（距離）が広く（長く）なり、大人の使用者Ｕが着座し易いようになる。
【００２３】
図２及び図４に示すように、第１脚支柱５の下端部はベース４に枢支されている。また、第２脚支柱６の下端部は、第１脚支柱５の下端部よりも上方かつ後方位置でベース４に対して前後方向に枢軸１０ａにより揺動自在に枢支されている。
【００２４】
また、第１脚支柱５の後部からは、左右方向に延設されたリブ５ａが設けられている（図２参照）。該リブ５ａは、椅子１が正面側（前方側）に付勢された際に、ベース上面４ａに当接することで椅子１の正面側への揺動を規制し、椅子１が子供Ｃに使用される第２使用状態となる位置を規定している（図２参照）。尚、椅子１が大人の使用者Ｕによって使用される際には、リブ５ａがベース背面４ｂに当接することで椅子１の背面側への揺動を規制し、椅子１の第１使用状態となる位置を規定している（図３参照）。
【００２５】
図２に示すように、第１脚支柱５の上端に一体的に形成されている座前部７は、側面視で略く字形状をなすように板部材が屈曲されて形成されている。また、座前部７の前部側には、該座前部７を左右方向に貫通する孔１４が設けられており、座前部７の軽量化を図っている。
【００２６】
また、図４及び図５に示すように、第１脚支柱５の後部には、該第１脚支柱５の下端部から上端部にかけて背面側（後方側）に開口する本実施例における収納部としての溝部１３が形成されている。第２脚支柱６は、第１脚支柱５の溝部１３内に収納されるとともに、上端部を座後部８の下面側に設けられたブラケット１１に枢軸１０ｂによって枢支されている。座後部８の後端部には、背凭れ９が上方に向かって一体的に延設されており、これら座後部８及び背凭れ９は側面視で略Ｌ字形状をなすように板部材が屈曲されて形成されている。
【００２７】
尚、座前部７と座後部８の上面７ａ，８ａには、合成樹脂等の材質で形成されて伸縮性を有するカバー１７が接着されている。このカバー１７によって、第１使用状態において大人の使用者Ｕの着座時に座前部７と座後部８間に使用者Ｕの服等が挟まることを防いでいる。また、第２使用状態においても子供Ｃの服等が挟まることを防いでいる。
【００２８】
図４に示すように、第２使用状態における椅子１の座前部７は、前端部が下降するように傾斜されており、該座前部７及び座後部８は子供Ｃの座りやすい高さｈ１で、第１使用状態であるときよりも前方に配置されている。
【００２９】
椅子１を使用者Ｕ（大人）が使用する際には、使用者Ｕが第２使用状態の椅子１の背凭れ９を背面側に引くことにより、第１脚支柱５及び第２脚支柱６を背面側に揺動させて、図３及び図５に示すように、椅子１を座前部７及び座後部８の上面７ａ，８ａが面一、かつ略水平状態となる第１使用状態とする。
【００３０】
座前部７及び座後部８は、側面視で円弧を描いて背面側に揺動されることによって、座前部７及び座後部８の高さが高さｈ２に上昇し、第１使用状態となる位置で使用者Ｕ（大人）が着座しやすい高さとなる。このとき、座前部７は、背凭れ９が背面側に引かれると、座後部８とともに背面側に引かれて第１脚支柱５がベース４に枢支された点を中心に背面側に側面視で円弧を描いて背面側に揺動される。そして、座前部７は上面７ａが上方に向くように揺動され、椅子１が第１使用状態となる位置で座前部７の上面７ａと座後部８の上面８ａとが面一かつ略水平状態となり、広い座面１６を形成する。
【００３１】
尚、椅子１を図５に示す第１使用状態から図４に示す第２使用状態にする際には、使用者Ｕ（大人）が背凭れ９を正面側に押すことにより、第１脚支柱５及び第２脚支柱６が正面側に揺動されて、第１脚支柱５の揺動に伴い座面１６を構成する座前部７及び座後部８が略水平状態から第２使用状態に移行する。
【００３２】
そして、使用者Ｕ（大人）が背凭れ９を正面側に押すと、座前部７が蝶番１５を介して座後部８から正面側に向けて押されつつ枢軸１０ｃを中心として正面側に揺動される。こうすることで、座前部７の前端部が降下するように傾斜され、かつ座後部８が子供Ｃの座りやすい高さｈ１となり、第１使用状態であるときよりも前方に配置される第２使用状態となる。
【００３３】
以上、本実施例における椅子１では、両脚支柱５，６が揺動されることによって、座前部７と座後部８とが、互いの上面７ａ，８ａが面一をなすように並設される第１使用状態と、座前部７が、その前部が降下する第２使用状態と、に切り換え可能となっていることで、第１使用状態では、座前部７と座後部８の上面７ａ，８ａを合わせた広さの座面１６が構成され、座面１６の前端から背凭れ９までの幅を広くして大人Ｕ用の椅子１として使用することができ、第２使用状態では、座後部８のみで座面１６が構成されるため、座面１６の前端から背凭れ９までの幅を狭くして子供Ｃ用の椅子１として使用することができるようになり、かつ両脚支柱５，６を揺動させる操作により、第１使用状態と第２使用状態とを容易に切り換えることができるので、子供Ｃであっても容易に切り換え操作を行うことができる。
【００３４】
また、第２使用状態において、着座に使用しない座前部７が垂直状態に傾斜されることで、使用者である子供Ｃの足元で座前部７が邪魔にならずに済むようになる。
【００３５】
また、第２使用状態における座後部８で構成される座面１６の高さｈ１が、第１使用状態における座前部７と座後部８との上面７ａ，８ａで構成される座面１６の高さｈ２よりも低くなることで、主に子供Ｃが使用する第２使用状態において、座面１６の高さｈ１が低くなり、大人Ｕよりも身長が低い子供Ｃが椅子１に座り易くなる。
【００３６】
また、第１脚支柱５には、第２脚支柱６を収納する収納部としての溝部１３が設けられていることで、使用者Ｕの足元には、第１脚支柱５のみが配置されるため第２脚支柱６が邪魔にならずに済むようになり、かつ第２脚支柱６が第１脚支柱５の溝部１３内に収納されて隠蔽されるため、椅子１の見栄えがよくなる。
【実施例２】
【００３７】
次に、実施例２に係る椅子につき、図６を参照して説明する。図６（ａ）は、実施例２における第２使用状態の椅子を示す概念図であり、図６（ｂ）は、第１使用状態の椅子を示す概念図である。以下、図６（ａ）及び図６（ｂ）の紙面左方側を椅子の正面側（前方側）として説明する。
【００３８】
図６（ａ）及び図６（ｂ）に示すように、実施例２における椅子１８は、床面に固定されたベース１９を有しており、該ベース１９の後部には、第１脚支柱２０の下端部が枢軸１０ｃによって枢支されており、ベース１９の前部には、第２脚支柱２１の下端部が第１脚支柱２０と同じ高さ位置で枢軸１０ａによって枢支されている。尚、第１脚支柱２０と第２脚支柱２１は、第１脚支柱２０よりも第２脚支柱２１の方が長く形成されている。
【００３９】
また、ベース１９の上方には、板状の座前部２２及び座後部２３と、座後部２３の後端部から上方に延びる背凭れ２４が配置されている。これら座前部２２の後端部と座後部２３の先端部は蝶番１５で接続されている。座前部２２の下面側のブラケット２５には、第１脚支柱２０の上端部が枢軸１０ｄによって枢支されるとともに、座後部２３の下面側のブラケット２６には、第２脚支柱２１の上端部が枢軸１０ｂによって枢支されている。第１脚支柱２０と第２脚支柱２１は側面視で交差している。
【００４０】
図６（ａ）に示すように、椅子１８が子供Ｃに使用されるときは、第１脚支柱２０及び第２脚支柱２１が正面側に揺動されて前方に傾くようになっている。このとき第１脚支柱２０が前方に揺動されることで、座前部２２の上面２２ａが正面側に向くように傾斜して、座前部２２が略垂直状態となり、第２使用状態に切り換わるようになっている。
【００４１】
また、第２使用状態では、第２脚支柱２１が前方に揺動されて略垂直に立設されることで、座後部２３が前上方に上昇されて所定の高さｈ３に座後部２３の上面２３ａが配置されている。尚、第２使用状態における座後部２３の高さｈ３は、後述するように、大人の使用者Ｕが着座する第１使用状態の座前部２２及び座後部２３の高さｈ４よりも高くなる（図６（ｂ））。
【００４２】
また、図６（ｂ）に示すように、子供Ｃが使用する第２使用状態から大人の使用者Ｕが使用する第１使用状態に切り換える際には、椅子１８の背凭れ２４を掴んで、椅子１８を後方に揺動させる。すると、第１脚支柱２０及び第２脚支柱２１が後方に揺動されて、座前部２２と座後部２３とが略水平になり、互いの上面２２ａ，２３ａが面一をなすように並設される。尚、第１使用状態における座前部２２及び座後部２３の高さｈ４は、前述した第２使用状態の座後部２３の高さｈ３よりも低くなる（図６（ａ）参照）。
【００４３】
図６（ｂ）の第１使用状態では、第２脚支柱２１が後方側に倒れるように傾斜されるため、後方に第２脚支柱２１揺動されることで座後部２３は、第１使用状態よりも低い位置ｈ４に配置される。また、図６（ａ）の第２使用状態では、第２脚支柱２１が略垂直に立設されるため、前方に第２脚支柱２１揺動されることで座後部２３は、第１使用状態よりも高い位置ｈ３に配置される。
【００４４】
図６（ａ）の第２使用状態では、座後部２３の上面２３ａにより、椅子１８の狭い座面２７が構成され、座後部２３の前端から背凭れ２４までの幅を狭くして子供Ｃが着座し易いようにできる。また、図６（ｂ）の第１使用状態では、座前部２２と座後部２３の上面２２ａ，２３ａが面一となることで椅子１８の広い座面２７が構成され、座前部２２の前端から背凭れ２４までの幅を広くして大人の使用者Ｕが着座し易いようにできる。
【００４５】
以上、実施例２における椅子１８では、第２使用状態における座後部２３の上面２３ａで構成される座面２７の高さｈ３が、第１使用状態における座前部２２と座後部２３の上面２２ａ，２３ａとで構成される座面２７の高さｈ４よりも高くなることで、主に子供Ｃが使用する第２使用状態において、座面２７の高さｈ３が高くなり、子供Ｃが椅子１８に座った際の視線を高くすることができ、大人Ｕよりも身長が低い子供Ｃが前方を見やすくなる。
【実施例３】
【００４６】
次に、実施例３に係る椅子につき、図７（ａ）から図７（ｂ）を参照して説明する。尚、前記実施例２に示される構成部分と同一構成部分に付いては同一符号を付して重複する説明を省略する。図７（ａ）は、実施例３における第２使用状態の椅子を示す概念図であり、図７（ｂ）は、第１使用状態の椅子を示す概念図である。以下、図７（ａ）及び図７（ｂ）の紙面左方側を椅子の正面側（前方側）として説明する。
【００４７】
図７（ａ）及び図７（ｂ）に示すように、実施例３における椅子２８は、実施例２における椅子１８と異なり、第１脚支柱２９と第２脚支柱３０とがほぼ同じ長さに形成されている。この第２脚支柱３０は、第１使用状態にて後方に傾いたときの床面に対する傾斜角度と、第２使用状態にて前方に傾いたときの床面に対する傾斜角度がほぼ同じになっている。そのためどちらの使用状態に切り換わっても、座面２７の高さｈ５が変化しないようになっている。
【００４８】
以上、実施例３における椅子２８では、第１使用状態における座前部２２と座後部２３の上面２２ａ，２３ａとで構成される座面２７の高さｈ５と、第２使用状態における座後部２３の上面２３ａで構成される座面２７の高さｈ５と、が同じ高さになることで、座面２７の高さｈ５を変化させずに、座面２７の前端から背凭れ２４までの幅のみを変化、すなわち座面２７の広さのみを変化させるため、第１使用状態の椅子２８と第２使用状態の椅子２８とを並設して使用しても、それぞれの使用状態の椅子２８の座面２７の高さｈ５が一定になり、使用状態が異なる椅子２８に座ることで生じる大人Ｕと子供Ｃの相対的な視線の高さ位置が変化しなくて済む。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例１〜３では、使用者Ｕ（子供Ｃ）が手動により椅子１を揺動させることで、椅子１を第１状態と第２使用状態とに切り換えるようにしているが、付勢手段としてのコイルバネ等をベース４内に設けるようにし、該コイルバネにより脚支柱５，６を前方または後方のいずれか一方に揺動するようにしてもよく、このようにすれば、使用者Ｕ（子供Ｃ）が椅子１から離席するだけで、コイルバネの付勢力により椅子１が自動的に第１使用状態または第２使用状態に切り換わるようになり、使用者Ｕ（子供Ｃ）が椅子１の使用状態を切り換える煩わしさがなくなる。
【００５１】
また、前記実施例１〜３では、両脚支柱５，６の前方及び後方の揺動限界位置で揺動が停止して第１使用状態及び第２使用状態となる構成となっていたが、両脚支柱５，６の前方及び後方の揺動限界位置で両脚支柱５，６の揺動を停止させるロック機構を設けるようにしてもよく、ロック機構を設けておけば、特に子供Ｃが着座した際などに不用意に椅子１の使用状態が切り換わることを防止できる。
【図面の簡単な説明】
【００５２】
【図１】実施例１における椅子を示す側面図である。
【図２】第２使用状態の椅子を示す斜視図である。
【図３】第１使用状態の椅子を示す斜視図である。
【図４】第２使用状態の椅子を示す縦断側面図である。
【図５】第１使用状態の椅子を示す縦断側面図である。
【図６】（ａ）は、実施例２における第２使用状態の椅子を示す概念図であり、（ｂ）は、第１使用状態の椅子を示す概念図である。
【図７】（ａ）は、実施例３における第２使用状態の椅子を示す概念図であり、（ｂ）は、第１使用状態の椅子を示す概念図である。
【符号の説明】
【００５３】
１                椅子
４                ベース
５                第１脚支柱
６                第２脚支柱
７                座前部（第１座部）
８                座後部（第２座部）
９                背凭れ
１３              溝部（収納部）
１６              座面
１８              椅子
１９              ベース
２０              第１脚支柱
２１              第２脚支柱
２２              座前部
２３              座後部
２４              背凭れ
２７              座面
２８              椅子
２９              第１脚支柱
３０              第２脚支柱
【図１】
2009100819.tif 000003
【図２】
2009100819.tif 000004
【図３】
2009100819.tif 000005
【図４】
2009100819.tif 000006
【図５】
2009100819.tif 000007
【図６】
2009100819.tif 000008
【図７】
2009100819.tif 000009